(57)【要約】【課題】ダッシュボードに穿設された取付孔に筒状のキースイッチを挿通させて取付けるにあたって、ダッシュボードの汎用性が高く、コストも低く抑えることが可能なキースイッチの取付方法及び構造を提供することを課題とする。【解決手段】本発明は、ダッシュボード１２に取付孔１９を穿設し、回動操作される筒状のキースイッチ１８を、前記取付孔１９に挿通させることにより、該キースイッチ１８をダッシュボード１２に取付けるキースイッチの取付方法であって、取付孔１９の周縁と、キースイッチ１８の外周との間に介在させるリング状のスペーサ２１を、該取付孔１９に嵌合して装着するか否かを切換えることにより、径の異なる複数種類のキースイッチ１８をダッシュボード１２に取付可能とした。【選択図】図５
2014093273.tif 000002
【特許請求の範囲】
【請求項１】
ダッシュボード（１２）に取付孔（１９）を穿設し、回動操作される筒状のキースイッチ（１８）を、前記取付孔（１９）に挿通させることにより、該キースイッチ（１８）をダッシュボード（１２）に取付けるキースイッチの取付方法であって、取付孔（１９）の周縁と、キースイッチ（１８）の外周との間に介在させるリング状のスペーサ（２１）を、該取付孔（１９）に嵌合して装着するか否かを切換えることにより、径の異なる複数種類のキースイッチ（１８）をダッシュボード（１２）に取付可能としたキースイッチの取付方法。
【請求項２】
回動操作される筒状のキースイッチ（１８）を、ダッシュボード（１２）に穿設された取付孔（１９）に挿通させて取付けるキースイッチの取付構造であって、取付孔（１９）の周縁と、キースイッチ（１８）の外周との間に介在させるリング状のスペーサ（２１）を、該取付孔（１９）に嵌合状態で着脱可能に装着できるキースイッチの取付構造。
【請求項３】
キースイッチ（１８）の外周に装着されるスペーサ（２１）をＣリング状に形成した請求項２記載のキースイッチの取付構造。
【請求項４】
キースイッチ（１８）の外周に装着されるスペーサ（２１）の内周側に、該キースイッチ（１８）と係合する係合部（４０，４２）を複数設けた請求項２又は３の何れかに記載のキースイッチの取付構造。
【発明の詳細な説明】
【技術分野】
【０００１】
この発明は、キースイッチの取付方法及び構造に関する。
【背景技術】
【０００２】
ダッシュボードに取付孔を穿設し、回動操作される筒状のキースイッチを、前記取付孔に挿通させることにより、該キースイッチをダッシュボードに取付けたキースイッチの取付方法及び構造が公知になっている（例えば、特許文献１参照。）。
【先行技術文献】
【特許文献】
【０００３】
【特許文献１】実開平１−９９７５１号公報
【発明の概要】
【発明が解決しようとする課題】
【０００４】
上記文献では、筒状のキースイッチに対応した専用の取付孔をダッシュボードに穿設し、この取付孔にキースイッチを挿通させて取付けるため、ダッシュボードに異なる径を有する複数種類のキースイッチを取付けることができず、ダッシュボードの汎用性が低く、製造コストを低く抑えることも困難な場合がある。
【０００５】
本発明は、ダッシュボードに穿設された取付孔に筒状のキースイッチを挿通させて取付けるにあたって、ダッシュボードの汎用性が高く、コストも低く抑えることが可能なキースイッチの取付方法及び構造を提供することを課題とする。
【課題を解決するための手段】
【０００６】
上記課題を解決するため、第１に、ダッシュボード１２に取付孔１９を穿設し、回動操作される筒状のキースイッチ１８を、前記取付孔１９に挿通させることにより、該キースイッチ１８をダッシュボード１２に取付けるキースイッチの取付方法であって、取付孔１９の周縁と、キースイッチ１８の外周との間に介在させるリング状のスペーサ２１を、該取付孔１９に嵌合して装着するか否かを切換えることにより、径の異なる複数種類のキースイッチ１８をダッシュボード１２に取付可能としたことを特徴としている。
【０００７】
第２に、回動操作される筒状のキースイッチ１８を、ダッシュボード１２に穿設された取付孔１９に挿通させて取付けるキースイッチの取付構造であって、取付孔１９の周縁と、キースイッチ１８の外周との間に介在させるリング状のスペーサ２１を、該取付孔１９に嵌合状態で着脱可能に装着できることを特徴としている。
【０００８】
第３に、キースイッチ１８の外周に装着されるスペーサ２１をＣリング状に形成したことを特徴としている。
【０００９】
第４に、キースイッチ１８の外周に装着されるスペーサ２１の内周側に、該キースイッチ１８と係合する係合部４０，４２を複数設けたことを特徴としている。
【発明の効果】
【００１０】
取付孔の周縁と、キースイッチの外周との間に介在させるリング状のスペーサを、該取付孔に嵌合状態で着脱可能に装着できるため、スペーサを装着しない状態で挿通されるキースイッチの径と、スペーサを装着した状態で挿通されるキースイッチの径とを異ならせることが可能であり、１つのダッシュボードに複数種類のキースイッチを取付けることが可能になり、ダッシュボードの汎用性が向上する他、この汎用性向上によって、種々の車両に適用可能になるため、製造コストも低く抑えることが可能になる。
【００１１】
また、キースイッチの外周に装着されるスペーサをＣリング状に形成したものによれば、スペーサの径を拡大・縮小させることが可能になるため、スペーサの取付孔への装着が容易になる。
【００１２】
さらに、キースイッチの外周に装着されるスペーサの内周側に、該キースイッチと係合する係合部を複数設けたものによれば、キースイッチをスペーサの複数の係合部の１つに係合させればよいため、係合位置の異なる複数種類のキースイッチに１つのスペーサで対応可能となり、汎用性がさらに向上する。
【図面の簡単な説明】
【００１３】
【図１】本発明を適用した農業用のトラクタの側面図である。
【図２】ダッシュボートの要部背面図である。
【図３】（Ａ）乃至（Ｆ）は、スペーサの平面図、左側面図、背面図、右側面図、正面図及び底面図である。
【図４】（Ａ）乃至（Ｃ）は第１キースイッチの取付構造を示す斜視図、要部斜視図及び側面図である。
【図５】（Ａ）及び（Ｂ）は第２キースイッチの取付構造を示す斜視図及び側面図である。
【図６】（Ａ）は第３キースイッチの取付構造を示す斜視図であり、（Ｂ）は（Ａ）とは別の角度から見た第３キースイッチの取付構造を示す斜視図であり、（Ｃ）は第３キースイッチの取付構造を示す側面図である。
【発明を実施するための形態】
【００１４】
図１は、本発明を適用した農業用のトラクタの側面図である。図示するトラクタは、作業車両の一種であり、このトラクタは、走行機体１と、走行機体１の後部に昇降リンク２を介して昇降可能に連結されたロータリ耕耘装置（作業機）３とを備えている。
【００１５】
走行機体１は、左右一対の前輪４，４及び後輪６，６によって支持された車台７上における前部にボンネット８でカバーされた図示しないエンジンを搭載し、車台７上におけるボンネット８の後方に操縦部９を設置している。操縦部９は、オペレータが着座するシート１１と、シート１１の前方に配置された前側操作部であるダッシュボード１２と、ダッシュボード１２の上部背面側に支持されたステアリングハンドル１３と、ダッシュボート１２とシート１１の間における低い位置に形成された床面１４とを備えている。
【００１６】
シート１１に着座したオペレータは、ステアリングハンドル１３を把持して操向操作を行い、下降状態のロータリ耕耘装置２を耕耘駆動させて走行機体１を前進走行させることにより、圃場での耕耘作業を行う。
【００１７】
図２は、ダッシュボートの要部背面図である。ダッシュボード１２は本体カバー１６を備え、該本体カバー１６の背面側には、前方に向かって上方に傾いた傾斜面１７が形成され、この傾斜面１７の上半部にメータパネルを嵌込み固定して設置するパネル孔１６ａが穿設される一方で、下半部には、ステアリングハンドル１３の上方に後方傾斜した回転軸（図示しない）を挿通させるように後方側が開放された切欠き状のステアリング設置部１６ｂと、筒状のキースイッチ１８を取付けるための取付孔１９とが形成され、この取付孔１９は、ステアリングハンドル１３の左右一方側に位置している。
【００１８】
次に、図２乃至図６に基づきキースイッチ１８を取付孔１９に取付ける方法及びその構造について説明する。
【００１９】
図３（Ａ）乃至（Ｆ）は、スペーサの平面図、左側面図、背面図、右側面図、正面図及び底面図であり、図４（Ａ）乃至（Ｃ）は第１キースイッチの取付構造を示す斜視図、要部斜視図及び側面図である。上記取付孔１９には、径や係合位置の異なる複数種類のキースイッチ（キーシリンダ）１８を取付けることができる。この取付孔１９へのキースイッチ１８の取付方法について説明すると、取付孔１９の周縁と、キースイッチ１８の外周との間にリング状のスペーサ２１を介在させるか否かを切換えることにより、取付孔１９に径の異なる複数のキースイッチ１８を挿通して固定することが可能になる。
【００２０】
ちなみに、このリング状のスペーサ２１はＣリング状に成形され、キースイッチ１８を取付孔１９に前方側（内面側）から挿通して固定する前に予め取付孔１９に嵌め込み固定される。このスペーサ２１の詳細な構成は後述する。
【００２１】
取付可能なキースイッチ１８は、３タイプで、１つは、径が大きくスペーサ２１が不要な第１キースイッチ（タイプＡ）１８Ａであり、残りの２つは、径が小さくスペーサ２１が必要な第２キースイッチ（タイプＢ）１８Ｂ及び第３キースイッチ（タイプＣ）１８Ｃである。ちなみに、各キースイッチ１８は、キー２２（図４乃至図６参照）を差込んで一方側に回転（回転量が一回未満の回動も含むものであり、以下同じ）させることにより、始動スイッチ（図示しない）がＯＮ作動してエンジンが始動される一方で、このエンジン始動位置から他方側に回転させることにより、始動スイッチがＯＦＦ作動してエンジン駆動が停止される。
【００２２】
まず、図２及び図４に基づいて、第１キースイッチ１８Ａの取付けについて説明する。キースイッチ１８Ａは、キー２２が差込まれるキーロータ２３が軸回りに回転可能に収容された円筒状のロータケース２４を備え、このロータケース２４の一端寄り部分は外周にネジを有するネジ部２６となる一方で、他端寄り部分はネジ部２６よりも大径であって本体カバー１６の内面側である前面側に位置して収容される収容部２７になる。ちなみに、キー２２の回動操作に際しては、上記キーロータ２３がキー２２とともに一体的に回転する。
【００２３】
ネジ部２６の外周面の一部には、Ｄカット状に切欠かれて軸方向に延びるフラットな係合面２６ａ，２６ａが形成され、この係合面２６ａ，２６ａは、ネジ部２６の周面の軸心を境にした対称位置に対称形状となるように一対設けられている。
【００２４】
収容部２７の外周面は、ネジ部２６側に向かって段階的に小径となるように形成されているが、この収容部２７の最小径となるネジ部２６側端部でも、ネジ部２６よりは大径に形成され、本体カバー１６の内面側に接当する部分になる。ちなみに、この収容部２７のネジ部寄り部分には、径方向外側に延出された環状の鍔部２８が形成されている。
【００２５】
一方、取付孔１９は、後方に複数段（図示する例では２段）で階段状に突出した円形の段部２９に穿設されている。さらに、この段部２９の最後方に突出した突出端側には、前方に窪んだ凹状面２９ａが形成され、この凹状面２９ａのフラットな底面に円形状の取付孔１９が穿設されている。
【００２６】
この取付孔１９は、第１キースイッチ１８Ａのネジ部２６と同一径となり、この内周縁は、ネジ部２６の外周面に沿う円弧部３１と、ネジ部２６の係合面２６ａの軸方向視の形状と同一であって前記円弧部３１の両端部を接続する直線部３２とから構成され、この取付孔１９は、全体としてＤ形状となる。また、取付孔１９の円弧部３１の最下端及び最上端には、径方向外側に窪んだ係合溝３３，３４がそれぞれ凹設されるとともに、この円弧部３１には、嵌合用凹部３６が周方向に所定間隔毎に複数形成されている。
【００２７】
そして、キースイッチ１８Ａのネジ部２６を、本体カバー１６の内面側から取付孔１９に挿通させると、キースイッチ１８Ａ外周における一対の係合面２６ａ，２６ａの何れかを一方が、取付孔１９の上記直線部３２に接当し、キースイッチ１８Ａが、自身の軸回り回転が規制（具体的には禁止）された状態で、取付孔１９に係合挿通され、キースイッチ１８Ａのネジ部２６が本体カバー１６の外面側に突出した状態になる。この本体カバー１６の外面側に突出したネジ部２６の外周に、内周にネジが形成された筒状の取付具である取付ナット３７をネジ係合させて締付けることにより、キースイッチ１８Ａをダッシュボード１２（具体的には本体カバー１６）に固定する。
【００２８】
ちなみに、この取付ナット３７の本体カバー１６側の端部には、上記凹状面２９ａに嵌合収容されるフランジ部３７ａが一体的に形成され、第１キースイッチ１８Ａの取付時、このフランジ部３７ａが凹状面２９ａに嵌め込み固定される。
【００２９】
図５（Ａ）及び（Ｂ）は第２キースイッチの取付構造を示す斜視図及び側面図である。図２、図３及び図５に示す通り、第２キースイッチ１８Ｂは、スペーサ２１が嵌合装着された取付孔１９に挿通固定される。
【００３０】
上記スペーサ２１は、外周の径（外径）が前記取付孔１９の径と同一に設定された挿入部３８と、挿入部３８の一端側に一体形成されたフランジ状の係止部３９とを有している。係止部３９は、挿入部３８よりも大径である。このスペーサ２１の周面の上端部には、第２キースイッチ１８Ｂと係合させる係合スリット（係合部）４０が形成され、この係合スリット４０は、スペーサ２１の挿入方向全体（挿入部３８及び係止部３９）に亘り形成され、この係合スリット４０によって、スペーサ２１は、全体として、上述したＣリング形状となる。
【００３１】
挿入部３８の外周面には、取付孔１９の直線部３２に対応したフラットな切欠き状の係合面４１が形成され、この係合面４１によって挿入部３８の断面視（挿入方向視）形状は、取付孔１９と同一のＤ形状に成形されている。
【００３２】
また、挿入部３８の挿入端面の下端部（係合スリット４０のスペーサ２１軸心を挟んだ対称位置）には、係合凹部（係合部）４２が切欠き状に形成されている。係合凹部４２は、スペーサ２１の後方に窪み、スペーサ２１の挿入方向側が開放された状態になる。
【００３３】
さらに、挿入部３８の前記嵌合用凹部３６が位置する部分には、それぞれ該嵌合用凹部３６と凹凸嵌合する嵌合用凸部４３が径方向外側に突出するようにして一体形成されている。ちなみに、係合用凸部４３の径方向外側端面は、フランジ状の係止部３９の外周面と同一面となる位置まで突出している。
【００３４】
このスペーサ２１の挿入部３８を、係合面４１と直線部３２とが接当するようにして、本体カバー１６の外面側から、取付孔１９に嵌合して挿入することにより、各嵌合凸部４３が対応する各嵌合凹部３６に凹凸嵌合し、係合スリット４０と係合溝３３とが挿入方向視で完全に重なり、且つ係止部３９が、本体カバー１６側の前記凹状面２９ａの底面に接当した状態で、該スペーサ２１が取付孔１９に嵌入固定される。
【００３５】
一方、第２キースイッチ１８Ｂは、ネジ部２６の径が取付孔１９よりも小径であって且つスペーサ２１の内径と同一の断面視円形に形成され、このネジ部２６の収容部２７側端部の上端部には、上述した係合スリット４０及び係合溝３３と凹凸係合する係合突起（係合部）４４が一体的に形成されている。また、第１キースイッチ１８Ａとは異なり、鍔部２８は設けられていない。さらに、取付具３７としては、フランジ部３７ａが省略されて内周にネジが形成された円筒状部材を用いる。
【００３６】
この第２キースイッチ１８Ｂの本体カバー１６への設置に際しては、まず、上述した通りにしてスペーサ２１を取付孔１９に嵌合させ、その後、第２キースイッチ１８Ｂのネジ部２６を、本体カバー１６の内面側から、スペーサ２１の内周側に嵌合挿入し、係合突起４４を、係合スリット４０及び係合溝３３に係合させると、第２キースイッチ１８Ｂの軸回り回転が規制（具体的には禁止）された状態で、第２キースイッチ１８Ｂのネジ部２６が、本体カバー１６の外面側から突出し、この突出したネジ部２６に取付具３７をネジ係合して締付けることにより、この第２キースイッチ１８Ａが本体カバー１６に取付固定される。
【００３７】
図６（Ａ）は第３キースイッチの取付構造を示す斜視図であり、（Ｂ）は（Ａ）とは別の角度から見た第３キースイッチの取付構造を示す斜視図であり、（Ｃ）は第３キースイッチの取付構造を示す側面図である。図２、図３及び図６に示す通り、第３キースイッチ１８Ｃは、ネジ部２６の径が取付孔１９よりも小径で且つスペーサ２１の内径と同一に設定されている。
【００３８】
このネジ部２６の収容部２７側端部の下端部には、上述した係合凹部４２及び係合溝３４と凹凸係合する係合突起（係合部）４６が一体的に形成されている。また、第２キースイッチ１８Ｂと同様に鍔部２８は設けられていない。
【００３９】
この第３キースイッチ１８Ｃの本体カバー１６への設置に際しては、まず、上述した通りにしてスペーサ２１を取付孔１９に嵌合させ、その後、第３キースイッチ１８Ｃのネジ部２６を、本体カバー１６の内面側から、スペーサ２１の内周側に嵌合挿入し、係合突起４６を、係合凹部４２及び係合溝３４に係合させると、第３キースイッチ１８Ｃの軸回り回転が規制（具体的には禁止）された状態で、第３キースイッチ１８Ｃのネジ部２６が、本体カバー１６の外面側から突出し、この突出したネジ部２６に取付具３７をネジ係合して締付けることにより、この第３キースイッチ１８Ｃが本体カバー１６に取付固定される。
【００４０】
ちなみに、第３キースイッチ１８Ｃを本体カバー１６に取付けた際、取付具３７の内周側にスペーサ２１が収容されるように、該取付具３７の本体カバー１６側端部の内周径（内径）は他の部分の内径に比べて拡大されて図示しない収容部を形成している。
【００４１】
以上のように構成されるキースイッチ１８の取付方法及びその構造によれば、スペーサ２１の有無を切換えることにより、径（具体的にはネジ部の径）が異なる複数周囲のキースイッチ１８Ａ，１８Ｂ，１８Ｃを、同一種類のダッシュボード１２に取付けることができるため、汎用性が向上し、製造コストを低く抑えることができる。
【００４２】
また、スペーサ２１の内周側にキースイッチ１８Ｂ，１８Ｃと係合する係合部４０，４２を複数形成しているため、係合位置の異なる複数種類のキースイッチ１８Ｂ，１８Ｃを、該スペーサ２１を介して、取付孔１９に設置できるため、スペーサ２１の汎用性も向上する。
【００４３】
ちなみに、このようなダッシュボード１２に径の異なる複数種類のキースイッチ１８Ａ，１８Ｃ，１８Ｂを取付ける場合、従来のものでは、ダッシュボード１２の成形後に後工程で、キースイッチ１８Ｃ，１８Ｂに対応した取付孔１９を穿設する必要があり、加工費用分だけ製造コストが高くなるが、上述したキースイッチ１８Ａ，１８Ｃ，１８Ｂの取付方法及びその構造によれば、このような後工程も不要になる。
【符号の説明】
【００４４】
１２  ダッシュボード
１８  キースイッチ（キーシリンダ）
１９  取付孔
２１  スペーサ
４０  係合スリット（係合部）
４２  係合凹部（係合部）
【図１】
2014093273.tif 000003
【図２】
2014093273.tif 000004
【図３】
2014093273.tif 000005
【図４】
2014093273.tif 000006
【図５】
2014093273.tif 000007
【図６】
2014093273.tif 000008